(57)【特許請求の範囲】
【請求項１】
被写体を撮像して画像データを取得する撮像手段と、
撮影時の撮影倍率を検出する撮影倍率検出手段と、
外部の表示装置と接続するためのインターフェイスと、
基準画像を前記表示装置に表示させる基準画像表示制御手段と、
前記表示装置に表示された基準画像に基づき、前記表示装置の表示倍率を検出する表示倍率検出手段と、
前記画像データを前記表示装置に表示する際に、前記表示装置の表示倍率および当該画像データの撮影倍率に基づき、被写体の大きさに対する表示上の倍率を算出する表示倍率算出手段と、
前記画像データを、前記表示倍率算出手段で算出された前記被写体の大きさに対する表示上の倍率で前記表示装置に表示させるべく制御する表示制御手段と、
を備えたことを特徴とするデジタカメラ。
【請求項２】
請求項１に記載のデジタルカメラにおいて、
前記表示倍率検出手段は、前記表示装置に表示された基準画像の寸法に基づき当該表示装置の表示倍率を検出することを特徴とするデジタルカメラ。
【請求項３】
請求項１に記載のデジタルカメラにおいて、
前記表示倍率検出手段は、前記表示装置に表示される基準画像を撮影して当該表示装置の表示倍率を検出することを特徴とするデジタルカメラ。
【請求項４】
請求項１〜３のいずれか１つに記載のデジタルカメラにおいて、
さらに、前記表示装置に表示される画像データを拡大または縮小して表示させる拡大・縮小表示手段を備え、
前記拡大・縮小表示手段は、被写体の大きさに対する表示上の倍率が２の累乗となるように前記表示装置に画像データを表示することを特徴とするデジタルカメラ。
【請求項５】
被写体を撮像して画像データを取得する撮像手段と、
撮影時の撮影倍率を検出する撮影倍率検出手段と、
外部の表示装置と接続するためのインターフェイスと、
基準画像を前記表示装置に表示させる基準画像表示制御手段と、
前記表示装置に表示された基準画像に基づき、接続される前記外部の表示装置に応じて、前記表示装置のアスペクト比を検出するアスペクト比検出手段と、
前記画像データを前記表示装置に表示する際に、前記アスペクト比検出手段により検出された前記表示装置のアスペクト比に基づき、前記画像データを補正して、前記表示装置に表示する表示制御手段と、
を備えたことを特徴とするデジタルカメラ。
【請求項６】
請求項５に記載のデジタルカメラにおいて、
前記アスペクト比検出手段は、前記表示装置に表示された基準画像の寸法に基づき当該表示装置のアスペクト比を検出することを特徴とするデジタルカメラ。
【請求項７】
請求項５に記載のデジタルカメラにおいて、
前記アスペクト比検出手段は、前記表示装置に表示された基準画像を撮影して当該表示装置のアスペクト比を検出することを特徴とするデジタルカメラ。
【請求項８】
請求項５〜７のいずれか１つに記載のデジタルカメラにおいて、
さらに、前記表示装置に表示される画像データを縦横独立に拡大または縮小して表示させる拡大・縮小表示手段と、
を備えたことを特徴とするデジタカメラ。
【請求項９】
デジタルカメラの画像表示方法において、
被写体を撮像して画像データを取得するステップと、
撮影時の撮影倍率を検出するステップと、
外部接続される表示装置に基準画像を表示するステップと、
前記表示装置に表示された基準画像に基づき、前記表示装置の表示倍率を検出するステップと、
前記画像データを前記表示装置に表示する際に、前記表示装置の表示倍率および当該画像データの撮影倍率に基づき、被写体の大きさに対する表示上の倍率を算出するステップと、
前記画像データを、前記算出された被写体の大きさに対する表示上の倍率で前記表示装置に表示させるステップと、
を含むことを特徴とするデジタルカメラの画像表示方法。
【請求項１０】
デジタルカメラの画像表示方法において、
被写体を撮像して画像データを取得するステップと、
撮影時の撮影倍率を検出するステップと、
外部接続される表示装置に基準画像を表示するステップと、
前記表示装置に表示された基準画像に基づき、外部接続される前記表示装置に応じて、前記表示装置のアスペクト比を検出するステップと、
前記画像データを前記表示装置に表示する際に、検出された前記表示装置のアスペクト比に基づき、前記画像データを補正して前記表示装置に表示するステップと、
を含むことを特徴とするデジタルカメラの画像表示方法。
【発明の詳細な説明】
【０００１】
【発明の属する技術分野】
この発明は、デジタルカメラに関し、詳細には、外部接続される表示モニタに画像を表示することが可能なデジタルカメラに関する。
【０００２】
【従来の技術】
近年、デジタルスチルカメラは多機能化しており、撮影した画像の再生をデジタルスチルカメラに内蔵されたＬＣＤだけでなく、直接、ＴＶモニター等の表示デバイスに接続して表示する機能を具備したものも知られている。
【０００３】
本来、デジタルスチルカメラは、撮影した画像データを記録媒体に記録し、記録した画像データをＰＣにファイル転送して、ＰＣ上で活用される画像データの入力を容易にしたものであるが、上記のような機能は、ＰＣの無い環境においても画像の提示を行う事ができ、たとえば外出先でのプレゼンテーションなどに有用である。
【０００４】
また、画像の表示を工夫したデジタルカメラが知られており、例えば、特開平５−１８７４８号公報に記載されたデジタル電子スチルカメラは、基線長離れた２つのレンズ系からそれぞれ入射する同一被写体からの反射光を受光する１対の固体撮像素子と、前記一対の固体撮像素子の出力を信号処理して得られるアナログビデオ信号をデジタル信号に変換するＡ／Ｄ変換器と、前記Ａ／Ｄ変換された一対のデジタルビデオ信号を記憶する記憶手段と、前記ビデオ信号記録回路が記憶した一対の画像を表示するＬＣＤディスプレイと、測定点入力装置と、前記測定点入力装置により前記ＬＣＤディスプレイに表示されている１対の画像中の任意の位置を指定したとき、前記位置に対応する前記ビデオ信号記録回路の画像中のアドレスを読取り、三角測定法を利用したアルゴリズムにより被写体の前記位置指定点までの距離、さらに画像中の位置指定を２個所することによりその指定した２個所間の実寸法を演算し、ＬＣＤディスプレイに表示するように制御する制御手段とを備える。
【０００５】
また、特開平６−２２２７８号公報に記載されたスチルビデオカメラは、被写体からの光画像を光電変換する光電変換手段と、前記光電変換手段により変換された電気信号画像をＡ／Ｄ変換するＡ／Ｄ変換手段と、前記Ａ／Ｄ変換手段によって変換されたデジタル画像信号を一時記録するバッファメモリと、前記バッファメモリから読み出したデジタル画像信号をカメラ本体から取り外し可能な記録媒体に記録する記録手段と、記録と再生を切り替える記録・再生切替手段と、再生時の表示倍率を指示する表示倍率指示手段と、前記記録媒体に記録されたデジタル画像信号を前記表示倍率指示手段で指示された表示倍率に処理して前記バッファメモリに一時的に記録し、該バッファメモリに記録された画像信号を再生表示速度に適合した速度で読み出して再生を行う再生手段とを備えている。
【０００６】
【発明が解決しようとする課題】
しかしながら、従来のデジタルカメラにおいては、表示デバイスの特性（画面の大きさ、アスペクト比）に対する配慮が欠けている。たとえば、上記特開平５−１８７４８号公報に記載されたデジタル電子スチルカメラは、表示デバイスの大きさによって画像の大きさが変化してしまうために、実寸法が表示されたとしてもその寸法を把握しにくいというという問題がある。また、特開平６−２２２７８号公報に記載されたスチルビデオカメラは、表示デバイスのアスペクト比によって画像が歪んでしまうという問題がある。例えばワイドＴＶモニターでは、本来４：３で表示すべき画像を１６：９に水平方向に引き延ばして表示するため画像が歪んでしまう。
【０００７】
本発明は、上記に鑑みてなされたものであり、簡単な構成で、外部接続される表示ディバイスに見やすい画像を表示することが可能なデジタルカメラおよびその画像表示方法を提供することを目的とする。
【０００８】
【課題を解決するための手段】
上述した課題を解決するために、請求項１に記載のデジタルカメラは、被写体を撮像して画像データを取得する撮像手段と、撮影時の撮影倍率を検出する撮影倍率検出手段と、外部の表示装置と接続するためのインターフェイスと、基準画像を前記表示装置に表示させる基準画像表示制御手段と、前記表示装置に表示された基準画像に基づき、前記表示装置の表示倍率を検出する表示倍率検出手段と、前記画像データを前記表示装置に表示する際に、前記表示装置の表示倍率および当該画像データの撮影倍率に基づき、被写体の大きさに対する表示上の倍率を算出する表示倍率算出手段と、前記画像データを、前記表示倍率算出手段で算出された前記被写体の大きさに対する表示上の倍率で前記表示装置に表示させるべく制御する表示制御手段と、を備えたものである。
【００１０】
また、請求項２に記載の発明は、請求項１に記載のデジタルカメラにおいて、前記表示倍率検出手段は、前記表示装置に表示された基準画像の寸法に基づき当該表示装置の表示倍率を検出するものである。
【００１１】
また、請求項３に記載の発明は、請求項１に記載のデジタルカメラにおいて、前記表示倍率検出手段は、前記表示装置に表示される基準画像を撮影して当該表示装置の表示倍率を検出するものである。
【００１２】
また、請求項４に記載の発明は、請求項１〜３のいずれか１つに記載のデジタルカメラにおいて、さらに、前記表示装置に表示される画像データを拡大または縮小して表示させる拡大・縮小表示手段を備え、前記拡大・縮小表示手段は、被写体の大きさに対する表示上の倍率が２の累乗となるように前記表示装置に画像データを表示するものである。
【００１３】
また、請求項５に記載の発明は、被写体を撮像して画像データを取得する撮像手段と、撮影時の撮影倍率を検出する撮影倍率検出手段と、外部の表示装置と接続するためのインターフェイスと、基準画像を前記表示装置に表示させる基準画像表示制御手段と、前記表示装置に表示された基準画像に基づき、接続される前記外部の表示装置に応じて、前記表示装置のアスペクト比を検出するアスペクト比検出手段と、前記画像データを前記表示装置に表示する際に、前記アスペクト比検出手段で検出された前記表示装置のアスペクト比に基づき、前記画像データを補正して、前記表示装置に表示する表示制御手段と、を備えたものである。
【００１５】
また、請求項６に記載の発明は、請求項５に記載のデジタルカメラにおいて、前記アスペクト比検出手段は、前記表示装置に表示される基準画像の寸法に基づき当該表示装置のアスペクト比を検出するものである。
【００１６】
また、請求項７に記載の発明は、請求項５に記載のデジタルカメラにおいて、前記アスペクト比検出手段は、前記表示装置に表示される基準画像を撮影して当該表示装置のアスペクト比を検出するものである。
【００１７】
また、請求項８に記載の発明は、請求項５〜７のいずれか１つに記載のデジタルカメラにおいて、さらに、前記表示装置に表示される画像データを縦横独立に拡大または縮小して表示させる拡大・縮小表示手段と、を備えたものである。
【００１８】
また、請求項９に記載の発明は、デジタルカメラの画像表示方法において、被写体を撮像して画像データを取得するステップと、撮影時の撮影倍率を検出するステップと、外部接続される表示装置の表示倍率を検出するステップと、外部接続される表示装置に基準画像を表示するステップと、前記画像データを前記表示装置に表示する際に、前記表示装置に表示された基準画像に基づき、被写体の大きさに対する表示上の倍率を算出するステップと、前記画像データを、前記算出された被写体の大きさに対する表示上の倍率で前記表示装置に表示させるステップと、を含むものである。
【００１９】
また、請求項１０に記載の発明は、デジタルカメラの画像表示方法において、被写体を撮像して画像データを取得するステップと、撮影時の撮影倍率を検出するステップと、外部接続される表示装置に基準画像を表示するステップと、前記表示装置に表示された基準画像に基づき、外部接続される前記表示装置に応じて、前記表示装置のアスペクト比を検出するステップと、前記画像データを前記表示装置に表示する際に、検出された前記表示装置のアスペクト比に基づき、前記画像データを補正して前記表示装置に表示するステップと、を含むものである。
【００２０】
【発明の実施の形態】
以下に添付図面を参照して、この発明に係る好適な実施の形態を詳細に説明する。
【００２１】
図１は本発明に係るデジタルカメラの構成を示す図である。同図において１００は、デジタルカメラを示している。デジタルカメラ１００は、同図に示す如く、デジタルカメラの装置全体の制御を行うシステム制御部１０１と、被写体を撮像して画像データに変換する撮像部１０２と、撮像部１０２を制御する撮像制御部１０３と、撮像部１０２から出力される画像データに対して画像処理等を行う画像処理部１０４と、画像処理部１０４で処理された画像のＬＣＤ１０６への表示制御を行う表示制御部１０５と、画像等が表示されるＬＣＤ１０６と、記録メディア１０８のインターフェイスである記録メディアインターフェイス部１０７と、圧縮された画像データ等が格納される記録メディア１０８と、図示しない操作部のキー操作等を検出するためのハードキーインターフェイス部１０９と、テレビモニター１１１に接続するためのビデオインターフェイス１１０とを備える。また、デジタルカメラ１００はビデオインターフェイス１１０を介して、テレビモニター１１１に接続される。
【００２２】
上記システム制御部１０１は、上述したように、デジタルカメラの装置全体の制御をするものであり、ＲＯＭに格納されたプログラムに従ってデジタルカメラの装置全体を制御するＣＰＵと、ＣＰＵを動作させるためのプログラムを格納したＲＯＭと、ＣＰＵのワークエリアとして使用されるＲＡＭと、および時間を計時するためのタイマー等を備える。
【００２３】
上記撮像部１０２は、上述したように被写体を撮像して画像データを出力するためのものであり、被写体像を結像するためのレンズ系（ズームレンズを含む）や該レンズ系を駆動するためのレンズ駆動モータ等の光学系部品、結像された被写体像を電気信号（アナログの画像データ）に変換するＣＣＤ、該ＣＣＤを駆動するためのＣＣＤ駆動回路、ＣＣＤから出力されるアナログの画像データをデジタル信号（デジタル画像データ）に変換するＡ／Ｄ変換器等を備える。
【００２４】
上記撮像制御部１０３は、撮像部１０２のＣＣＤ駆動タイミングやレンズ駆動モータを制御してフォーカシング・ズーム・露出調整等を行うためのものである。画像処理部１０４は、撮像部１０２から出力される画像データに対して、種々の画像処理を施すと共に、画像データに対して圧縮／伸長処理・変倍処理等を行う画像処理用ＤＳＰ（デジタルシグナルプロセッサ）や、メモリ等を備える。
【００２５】
上記表示制御部１０５は、画像処理部１０４で処理された画像データをＬＣＤ１０６へ表示するための信号処理を行い、また、ユーザーインターフェイスのための種々のグラフィック画像を生成しＬＣＤ１０６に表示するためのものである。ＬＣＤ１０６は、画像を表示し、また、ユーザーインターフェイスのためのグラフィックを表示するためのものである。
【００２６】
上記記録メディアインターフェイス部１０７は、記録メディア１０８とのインターフェイスのために設けられたメモリカードコントローラ等からなる。記録メディア１０８は、例えば、フラッシュメモリからなり、圧縮された画像データや画像に関連する種々の情報が記録される。
【００２７】
上記ハードキーインターフェイス部１０９は、操作部（付図示）のキー・ダイアルや、ケーブル接続等のユーザインターフェイスのためのハードウエアの状態を検出するために設けられたパラレルポート等からなる。ビデオインターフェイス１１０は、外部表示デバイスへのインターフェイスのために設けられており、ビデオアンプ、ビデオジャック等からなる。不図示の操作部は、利用者がデジタルカメラに動作指示を与えるためのものであり、撮影を指示するレリーズボタン等を備える。
【００２８】
つぎに、上記構成のデジタルカメラ１００の撮影動作の概略を説明する。まず、利用者は、撮影に先だって、操作部のモード選択ダイヤルを操作し、撮影モードを選択し、さらに種々のキーを操作して撮影する画像モード（画像の画素数、圧縮率）を設定する。利用者の操作内容はハードキーインターフェイス部１０９を通じてシステム制御部１０１で判別され、システム制御部１０１は、操作に応じて表示制御部１０５にガイダンスグラフィックを生成させて、ＬＣＤ１０６に表示させ、利用者に次操作を促す。
【００２９】
上記システム制御部１０１は、画像モードが決定されると、画像モードに応じた制御パラメーターを撮像制御部１０３に設定する。撮影の準備が整った後、撮像部１０２は撮像制御部１０３の制御に従い、実際の撮影に先だって、プレビュー画像を表示するための撮像動作を開始する。
【００３０】
撮像部１０２で撮像された画像データは連続的に画像処理部１０４へ送られ、画像処理部１０４は、入力される画像データに対して、色空間変換・ガンマ補正・ホワイトバランス調整・変倍などの処理を施した後、画像データを表示制御部１０５へ送出する。表示制御部１０５では、画像データを信号処理してＬＣＤ１０６へ表示し、利用者へ撮像状態を呈示する。
【００３１】
この間、操作部のズームアップキーあるいはズームダウンキーの押下状態が検出されると、その操作はモード選択と同様にハードキーインターフェイス部１０９を通じてシステム制御１０１で判別され、システム制御部１０１は撮像制御部１０３へ操作を通知してズーム動作が行われる。
【００３２】
そして、操作部のレリーズボタンが半押しされると、ハードキーインターフェイス部１０９を通じてシステム制御部１０１で判別され、システム制御部１０１は撮像制御部１０３へ操作を通知し、撮像制御部１０３では、フォーカス、露出の検出を行い、撮像部１０２を制御して調整を行う。
【００３３】
操作部のレリーズボタンが押されると、ハードキーインターフェイス部１０９を通じてシステム制御部１０１で判別され、システム制御部１０１は撮像制御部１０３へ画像の取り込みを設定する。
【００３４】
撮像部１０２は、撮像制御部１０３の制御に従い、画像を取り込んで画像処理部１０４へ送り、画像処理部１０４は、画像モードに応じた画像処理、圧縮処理を行う。システム制御部１０１は、画像処理１０４から圧縮された画像データを読み出し、さらにヘッダー情報を付加して画像ファイルを作成し、記録メディアインターフェイス部１０７を通じて記録メディア１０８へ書き込む。ここで、ヘッダー情報には、設定された画像モードの情報やズーム位置（焦点距離）、フォーカス位置（被写体距離）等が含まれており、システム制御部１０１が撮像制御部１０３から撮影時の各種情報を読み出し、ヘッダー情報への変換を行う。以上で一連の撮影動作を完了する。
【００３５】
つぎに、ＬＣＤ１０６への画像の再生の動作を説明する。まず、利用者が操作部のモード選択ダイヤルを操作し、再生モードを選択すると、ハードキーインターフェイス部１０９を通じてシステム制御部１０１で判別される。システム制御部１０１は、記録メディアインターフェイス部１０７を通じて記録メディア１０８から画像ファイルを読み出し、ヘッダー情報を解析して画像モードを判別する。そして、システム制御部１０１は、画像処理部１０４へ伸張に必要な画像モードを設定し、さらに圧縮された画像データを画像処理部１０４へ転送し、これに応じて、画像処理部１０４は転送されてくる圧縮された画像データを伸張する。
【００３６】
画像処理部１０４は、伸張された画像データに変倍の処理を施した後、画像データを表示制御部１０５へ転送する。表示制御部１０５では、画像データを信号処理してＬＣＤ１０６に表示する。これに応じて、利用者が操作部のズームアップキーを押下すると、にハードキーインターフェイス部１０９を通じてシステム制御部１０１で判別され、システム制御部１０１は前述した手順で次の画像の表示を行う。
【００３７】
他方、利用者が操作部のズームダウンキーを押下すると、同様にハードキーインターフェイス部１０９を通じてシステム制御部１０１で判別され、システム制御部１０１は前述した手順で前の画像の表示を行う。
【００３８】
つぎに、テレビモニターに画像を表示する場合の概略動作について説明する。ここでは、デジタルカメラ１００にテレビモニター１１１が接続されている場合について説明する。ビデオインターフェイス１１０は接続ケーブルの挿抜を検出し、その検出状態はハードキーインターフェイス部１０９を通じてシステム制御部１０１で判別される。システム制御部１０１は、ビデオインターフェイスｃ１１０に接続ケーブルが接続されていると判断した場合には、表示制御部１０５へビデオインターフェイス１１０への映像信号の出力を設定し、テレビモニター１１１上へ再生画像を表示させる。
【００３９】
次に、上記した再生動作を図２〜図６を参照して詳細に説明する。図２は図１のデジタルカメラの再生動作を説明するためにフローチャート、図３は図２の表示倍率の演算処理（ステップＳ１０３）の具体的処理内容を説明するためのフローチャート、図４は図２のアスペクト比の演算処理（ステップＳ１０３）の具体的処理内容を説明するためのフローチャート、図５は図２の表示倍率およびアスペクト比の演算処理（ステップＳ１０３）の具体的処理内容を説明するためのフローチャートを示す。
【００４０】
図２において、システム制御部１０１は、再生モード時に、ハードキーインターフェイス部１０９でケーブル接続が検出されたか否かを判断し、ケーブル接続を検出しない場合には、通常の再生、すなわちＬＣＤ１０６への再生を行って（ステップＳ１０２）、当該フローを終了する一方、再生モード時にケーブル接続が検出された場合には、表示倍率の演算および／またはアスペクト比の検出処理を行う（ステップＳ１０３）。すなわち、ステップＳ１０３では、▲１▼表示倍率の演算（図３）、▲２▼アスペクト比の検出処理（図４）、▲３▼表示倍率の演算およびアスペクト比の検出処理（図５）のいずれかの処理が行われる。
【００４１】
つぎに、ステップＳ１０３の▲１▼表示倍率の演算処理の具体的な処理内容を図３のフローチャートを参照して説明する。図３において、まず、システム制御部１０１は表示制御部１０５へモニターサイズの入力を促すガイダンスグラフィックスを作成してＬＣＤ１０６に表示する（ステップＳ２０１）。利用者は、ＬＣＤ１０６の表示に従ってテレビモニター１１１のモニターサイズ（ブラウン管の対角サイズ）を入力し（ステップＳ２０２）、システム制御部１０１は入力された数値に従って表示倍率Ｍｄを演算する（ステップＳ２０３）。
表示倍率Ｍｄの演算方法は、後述する。
【００４２】
ついで、ステップＳ１０３の▲２▼アスペクト比の検出処理の具体的な処理内容を図４のフローチャートを参照して説明する。図４において、まず、システム制御部１０１は表示制御部１０５へモニタータイプの選択入力を促すガイダンスグラフィックスを作成してＬＣＤ１０６に表示する（ステップＳ３０１）。利用者は、表示に従ってテレビモニター１１１のモニタータイプ（ノーマル／ワイド）を選択入力し（ステップＳ３０２）、システム制御部１０１は、選択入力されたタイプに従ってアスペクト比Ａを演算する（ステップＳ３０３）。アスペクト比Ａの演算方法については後述する。
【００４３】
そして、ステップＳ１０３の▲３▼表示倍率の演算およびアスペクト比の検出処理の具体的な内容を図５のフローチャートを参照して説明する。図５において、まず、システム制御部１０１は基準画像となるグラフィックスを作成して表示制御部１０５およびビデオインターフェイス１１０を介してテレビモニター１１１に表示する（ステップＳ４０１）。
【００４４】
図６に上記基準画像のテレビモニター１１１への表示例を示す。同図において、２００はテレビモニター１１１のフレーム（有効表示領域）、２０１は撮影を促すガイダンスメッセージ、２０２は水平方向の基準画像となる水平バー、２０３は垂直方向の基準画像となる垂直バーを示す。
【００４５】
システム制御部１０１は、標準の画像モードに相当する制御パラメーターを撮像制御部１０３に設定して撮像動作を開始する（ステップＳ４０２）。プレビューの画像の表示、ズームキーの押下、レリーズボタンの半押しの操作に応答する動作は通常の撮影と同じである。なお、基準画像をテレビモニター１１１へ表示したまま、プレビュー画像をＬＣＤ１０６に表示するためには、表示制御部１０５は２系統の表示制御を独立して行わなければならない。本実施の形態においては、この機能を表示制御部１０５が具備しているものとするが、１系統しか具備していない構成においては、ａ）表示制御部１０５にピクチャーインピクチャの機能を具備し、プレビュー画像を子画面へ表示する構成や、ｂ）別途（図示されていない）光学式ファインダーを具備し、基準画像の撮影の際には該光学式ファインダーを用いて撮影を行う構成とすれば良い。
【００４６】
利用者がテレビモニター１１１の画面（基準画像）を撮影すると（レリーズボタンが押下されると）、システム制御部１０１は撮像制御部１０３へ画像の取り込みを設定し、撮像部１０２は撮像制御部１０３の制御に従って基準画像を取り込み、画像処理部１０４に送出する（ステップＳ４０３）。
【００４７】
画像処理部１０４は、画像モードに応じた画像処理を行った後、画像認識により基準画像を認識して水平バーの画素数、垂直バーの画素数を検出する。この画像認識は公知の技術を使用することができる。システム制御部１０１は、認識した画素数に基づいて表示倍率Ｍｄおよびアスペクト比Ａを演算する（ステップＳ４０４、Ｓ４０５）。表示倍率Ｍｄおよびアスペクト比Ａの演算方法は後述する。
【００４８】
なお、表示倍率とアスペクト比の両方を演算する場合を示したが、いずれか一方のみを演算することにしても良い。図６に示した基準画像は、表示倍率とアスペクト比の両方を演算するためのものであるが、表示倍率のみを演算する場合には、基準画像として水平バーまたは垂直バーのいずれか一方を表示することにより演算することが可能である。
【００４９】
また、上記では、テレビモニター１１１に基準画像を表示し、テレビモニター１１１に表示された基準画像をデジタルカメラで撮影して、テレビモニター１１１の表示倍率やアスペクト比を演算することとしたが、利用者が、テレビモニター１１１に表示された基準画像の実寸法（表示寸法）を水平バー、垂直バーの２種について測定し、その測定寸法を入力し、入力された測定寸法に基づき、テレビモニター１１１の表示倍率やアスペクト比を演算することにしても良い。
【００５０】
さて、図２のステップＳ１０３の表示倍率および／またはアスペクト比の検出処理が終了すると、システム制御部１０１は、記録メディアインターフェイス部１０７を介して記録メディア１０８から画像ファイルを読み出し（ステップＳ１０４）、ヘッダー情報を解析して画像の撮影時におけるズーム位置（焦点距離）、フォーカス位置（被写体距離）を判別する（ステップＳ１０５）。続いて、システム制御部１０１は、撮影時におけるズーム位置（焦点距離）およびフォーカス位置（被写体距離）に基づき撮影倍率Ｍｃを演算し、表示倍率Ｍｄと撮影倍率Ｍｃに基づき変倍率を演算する（ステップＳ１０６）。
【００５１】
そして、システム制御部１０１は、画像処理部１０４に、伸張に必要な画像モードおよび変倍率を設定し、圧縮された画像データを画像処理部１０４へ転送する。画像処理部１０４は、転送されてくる圧縮された画像データを伸張し、伸張した画像データに設定される変倍率に変倍の処理を施した後（ステップＳ１０７）、画像データを表示制御部１０５へ送出する（ステップＳ１０８）。
【００５２】
表示制御部１０５では、画像データを信号処理した後、ビデオインターフェイス１１０を介してテレビモニター１１１上へ再生画像を表示させる（ステップＳ１０８）。通常の動作と同様にして、利用者が図示されていないズームアップまたはダウンキーを押下すると（ステップＳ１０９）、ステップＳ１０４に戻り、次の画像、または前の画像の表示を行う。他方、ズームアップまたはダウンキーが押下されない場合は、ステップＳ１１０に移行し、他モードへの切替が有るか否かを判断し、他モードへの切替がある場合には当該フローを終了する一方、他モードへの切替がない場合にはステップＳ１０９に戻る。
【００５３】
上記したテレビモニター１１１の表示倍率Ｍｄ、撮影倍率Ｍｃ、変倍率Ｋの具体的な演算方法について説明する。まず、一般的に光学系における撮影倍率ｍは下式（１）で示される。
【００５４】
ｍ＝ｂ／Ｂ＝ｆ／Ｄ・・・（１）
但し、ｂ：結像した被写体の大きさ
Ｂ：被写体の大きさ
ｆ：焦点距離
Ｄ：被写体距離
【００５５】
そして、デジタルカメラにおける撮影倍率Ｍｃを下式（２）の如く定義する。
【００５６】
Ｍｃ＝（被写体の画素数）／（被写体の大きさ）
＝（Ｐｃ・ｂ／Ｌｃ）／Ｂ
＝ｍ・Ｐｃ／Ｌｃ
＝ｆ・Ｐｃ／（Ｄ・Ｌｃ）  ・・・（２）
但し、Ｐｃ：撮像画像の垂直方向の全画素数（水平方向でも良い）
Ｌｃ：撮像素子の垂直有効撮像領域の長さ（水平方向でも良い）
【００５７】
他方、表示倍率Ｍｄを下式（３）の如く定義する。
【００５８】
Ｍｄ＝（表示の画像の大きさ）／（表示の画像の画素数）
＝Ｌｄ／Ｐｄ  ・・・（３）
但し、Ｐｄ：表示画像の垂直方向の画素数
Ｌｄ：表示の垂直方向の長さ
【００５９】
以上から、被写体の大きさに対する表示の大きさの倍率Ｍは下式（４）の如く表すことができる。
【００６０】
Ｍ＝（表示の画像の大きさ）／（被写体の大きさ）
＝Ｋ・Ｍｄ・Ｍｃ  ・・・（４）
但し、Ｋ：画像処理部１０４で行う変倍処理の変倍率である。
【００６１】
上記図３のフローチャートで示した表示倍率Ｍｄの演算処理（モニターの対角サイズを入力して表示倍率Ｍｄを算出する場合）の具体的な演算方法を、テレビモニター１１１のアスペクト比が▲１▼４：３の場合と、▲２▼１６：９の場合について説明する。
【００６２】
▲１▼アスペクト比４：３のモニターの場合には、表示倍率Ｍｄは上記式（３）を用いて、下式（５）の如く表すことができる。
【００６３】
Ｍｄ＝（３／５・Ｌｍ）／Ｐｑ  ・・・（５）
但し、Ｌｍ：入力されたモニターの対角サイズＬｍ（Ｌｍはインチからミリへ変換）
Ｐｑ：表示画像の垂直方向の全画素数
【００６４】
▲２▼アスペクト比１６：９のワイドモニターの場合には、表示倍率Ｍｄは上記式（３）を用いて、下式（５’）の如く表すことができる。
【００６５】
Ｍｄ＝（９／√（３３７）・Ｌｍ）／Ｐｑ・・・（５’）
【００６６】
アスペクト比の演算と表示倍率の演算とを併せて実現する場合、入力されたモニタータイプにより上記式（５）または上記式（５’）を適宜選択して使用する。
【００６７】
なお、ここでは、テレビモニター１１１の対角サイズに基づき、垂直方向の表示領域を演算することととしたが、テレビモニター１１１の対角サイズと垂直方向の表示領域とを対応づけて記憶した参照テーブルを予め用意しておき、この参照テーブルを参照して、入力されるモニターの対角サイズに対応する垂直方向の表示領域を読み出すことにしても良い。
【００６８】
つぎに、テレビモニター１１１に基準画像を表示し、利用者がテレビモニター１１１に表示された基準画像の垂直バーの実寸法（表示寸法）を測定し、利用者から入力される基準画像の垂直バーの実寸法に基づき表示倍率Ｍｄを算出する場合の具体的演算方法を説明する。この場合の表示倍率Ｍｄは、上記式（３）を用いて、下式（６）の如く表すことができる。
【００６９】
Ｍｄ＝Ｌｖ／Ｐｖ・・・（６）
但し、Ｌｖ：入力された垂直バーの長さ
Ｐｖ：垂直バー画像の画素数
【００７０】
また、テレビモニター１１１に基準画像を表示し、デジタルカメラでこの基準画像を撮影して表示倍率Ｍｄを算出する場合には、まず、上記式（２）を用いて垂直バーの表示上の実寸Ｌｃｖを、下式（７）により演算する。
【００７１】
Ｌｃｖ＝Ｐｃｖ／Ｍｃ・・・（７）
但し、Ｌｃｖ：垂直バーの表示上の実寸
Ｐｃｖ：画像認識により認識された撮像画像上の垂直バーの画素数
【００７２】
そして、表示倍率Ｍｄは、上記式（３）を用いて、下式（８）により演算する。
【００７３】
Ｍｄ＝Ｌｃｖ／Ｐｖ・・・（８）
【００７４】
また、変倍率Ｋは、上記式（２）より、下式（９）により演算する。
【００７５】
Ｋ＝Ｍ／（Ｍｄ・Ｍｃ）・・・（９）
但し、Ｍの値には２の累乗となる値を選択する。
【００７６】
なお、アスペクト比を検出して画像の補正を行う場合には、変倍率を水平、垂直で独立に設定する。本実施の形態では、変倍率Ｋを垂直方向に適用し、後述するアスペクト比の検出結果に基づき水平方向の変倍率Ｋ’を求めることとする。
【００７７】
続いて、アスペクト比Ａの具体的な演算方法について説明する。まず、上記図４のフローチャートで示したアスペクト比Ａの演算処理（モニタータイプを入力して、アスペクト比Ａを算出する場合）の具体的な演算方法を説明する。
【００７８】
この場合は、入力されたモニタータイプにより一義的にアスペクト比を決定する。例えば、ノーマルが選択された場合にはアスペクト比（水平／垂直）Ａは「１」、ワイドが選択された場合にはアスペクト比Ａは「４／３」とする。
【００７９】
つぎに、テレビモニター１１１に基準画像を表示し、利用者がテレビモニター１１１に表示された基準画像の水平バーと垂直バーの実寸法（表示寸法）を測定し、利用者から入力される基準画像の水平バーと垂直バーの実寸法に基づき、アスペクト比Ａを演算する場合の具体的演算方法を説明する。この場合は、上記式（６）と同様の方法で、水平方向の表示倍率Ｍｄｈと垂直方向の表示倍率Ｍｄｖを算出し、アスペクト比Ａを下式（１０）により演算する。
【００８０】
Ａ＝Ｍｄｈ／Ｍｄｖ・・・（１０）
但し、Ｍｄｈ：水平方向の表示倍率
Ｍｄｖ：垂直方向の表示倍率
【００８１】
なお、水平バーと垂直バーの画素数が同一である場合には、アスペクト比Ａは、下式（１０’）により演算することができる。
【００８２】
Ａ＝Ｌｈ／Ｌｖ・・・（１０’）
但し、Ｌｈ：入力された水平バーの長さ
Ｌｖ：入力された垂直バーの長さ
【００８３】
つぎに、テレビモニター１１１に基準画像を表示し、デジタルカメラでこの基準画像を撮影してアスペクト比Ａを演算する場合について説明する。この場合には、上記式（８）と同様な方法で、水平方向の表示倍率Ｍｄｈと垂直方向の表示倍率Ｍｄｖを算出し、アスペクト比Ａを上記式（１０）により演算する。なお、水平バーと垂直バーの画素数が同一である場合には、アスペクト比Ａは下式（１０’’）により演算することができる。
【００８４】
Ａ＝Ｐｃｈ／Ｐｃｖ・・・（１０’’）
但し、Ｐｃｈ：画像認識により認識された撮像画像上の水平バーの画素数
Ｐｃｖ：画像認識により認識された撮像画像上の垂直バーの画素数
【００８５】
なお、算出したアスペクト比Ａに従い、水平方向の変倍率Ｋ’は下式（１１）により演算する。
【００８６】
Ｋ’＝Ｋ／Ａ・・・（１１）
【００８７】
以上まとめると、ステップＳ１０３において、アスペクト比を検出しないで、表示倍率のみを演算する場合には、テレビモニター１１１に画像を表示する際に、画像の水平方向と垂直方向に対して同じ変倍処理を行い、すなわち画像を変倍率Ｋで変倍する。他方、アスペクト比を検出する場合には、変倍率を水平、垂直で独立に設定し、例えば、垂直方向を変倍率Ｋで変倍し、水平方向を変倍率Ｋ’で変倍する。
【００８８】
以上説明したように、本実施の形態においては、撮影時の撮影倍率Ｍｃを検出するとともに、テレビモニター１１１の表示倍率Ｍｄを検出し、表示倍率Ｍｄと撮影倍率Ｍｃに基づき変倍率Ｋを算出して、当該変倍率Ｋで画像データを変倍してテレビモニター１１１に表示することとしたので、簡単な構成で、外部接続される表示ディバイスに見やすい画像を表示でき、被写体の実際の大きさを把握しやすいという効果を奏する。付言すると、例えば商品のサンプルを提示する様な場合、その画像が実物に対して等倍（あるいは２の累乗倍）に表示されていれば、実物の大きさを直感的に把握することができる。
【００８９】
また、本実施の形態においては、テレビモニター１１１の表示倍率Ｍｄを検出する場合に、利用者から入力される、モニターの対角サイズに基づいて表示倍率Ｍｄを検出することとしたので、利用者にとって簡易な方法で表示倍率を検出することが可能となる。
【００９０】
また、本実施の形態においては、テレビモニター１１１の表示倍率Ｍｄを検出する場合に、基準画像をテレビモニター１１１に表示し、利用者から入力される、テレビモニター１１１に表示される基準画像の寸法に基づいて、表示倍率Ｍｄを検出することとしたので、利用者にとって簡便な方法で表示倍率を検出することが可能となる。
【００９１】
また、本実施の形態においては、テレビモニター１１１の表示倍率Ｍｄを検出する場合に、基準画像をテレビモニター１１１に表示し、デジタルカメラでこのテレビモニターに表示される基準画像を撮影して表示倍率Ｍｄを検出することとしたので、利用者にとって簡便な方法で表示倍率を検出することが可能となる。
【００９２】
また、本実施の形態においては、被写体の大きさに対する表示上の倍率を２の累乗に合わせて拡大・縮小して表示することとしたので、拡大・縮小がなされた場合でも、実際の被写体の大きさを把握することが可能となる。
【００９３】
また、本実施の形態においては、テレビモニター１１１のアスペクト比Ａを検出し、検出したアスペクト比Ａに基づき画像を補正してテレビモニターに表示することとしたので、簡単な構成で、外部接続される表示ディバイスに見やすい画像を表示でき、被写体の形状を正しく把握できるという効果を奏する。付言すると、例えば４：３のＴＶモニターであっても、機種により表示される画像のアスペクト比は若干のばらつきを持っているが、かかる歪みの補正に対して有効である。
【００９４】
また、本実施の形態においては、テレビモニター１１１のアスペクト比Ａを検出する場合に、利用者から入力される、モニターの表示タイプ（ノーマル／ワイド）に基づいてテレビモニター１１１のアスペクト比Ａを検出することとしたので、利用者にとって簡便な方法でアスペクト比を検出することが可能となる。
【００９５】
また、本実施の形態においては、テレビモニター１１１のアスペクト比Ａを検出する場合に、基準画像をテレビモニター１１１に表示し、利用者から入力される、テレビモニター１１１に表示される基準画像の寸法に基づいてアスペクト比Ａを検出することとしたので、利用者にとって簡便な方法でアスペクト比を検出することが可能となる。
【００９６】
また、本実施の形態においては、テレビモニター１１１のアスペクト比Ａを検出する場合に、基準画像をテレビモニター１１１に表示し、デジタルカメラでこのテレビモニター１１１に表示される基準画像を撮影してアスペクト比Ａを検出することとしたので、利用者にとって簡便な方法でアスペクト比を検出することが可能となる。
【００９７】
なお、本発明は、上記した実施の形態に限定されるものではなく、発明の要旨を変更しない範囲で適宜変形可能である。
【００９８】
【発明の効果】
以上説明したように、請求項１に記載のデジタルカメラによれば、撮影倍率検出手段は撮影時の撮影倍率を検出し、基準画像表示制御手段は基準画像を前記表示装置に表示し、表示倍率検出手段は、前記表示装置に表示された基準画像に基づき、外部接続される表示装置の表示倍率を検出し、表示倍率算出手段は画像データを当該表示装置に表示する際に、当該表示装置の表示倍率および当該画像データの撮影倍率に基づき、被写体の大きさに対する表示上の倍率を算出し、表示制御手段は画像データを、表示倍率算出手段で算出された被写体の大きさに対する表示上の倍率で当該表示装置に表示させることとしたので、簡単な構成で、外部接続される表示ディバイスに見やすい画像を表示でき、被写体の実際の大きさを把握しやすいという効果を奏する。
【０１００】
また、請求項２に記載の発明によれば、請求項１に記載のデジタルカメラにおいて、表示倍率検出手段は、当該表示装置に表示された基準画像の寸法に基づき当該表示装置の表示倍率を検出することとしたので、請求項１に記載の発明の効果に加えて、利用者にとって簡便な方法で表示倍率を検出することが可能となる。
【０１０１】
また、請求項３に記載の発明によれば、請求項１に記載のデジタルカメラにおいて、表示倍率検出手段は、当該表示装置に表示される基準画像を撮影して当該表示装置の表示倍率を検出することとしたので、請求項１に記載の発明の効果に加えて、利用者にとって簡便な方法で表示倍率を検出することが可能となる。
【０１０２】
また、請求項４に記載の発明によれば、請求項１〜３のいずれか１つに記載のデジタルカメラにおいて、拡大・縮小表示手段は被写体の大きさに対する表示上の倍率が２の累乗となるように拡大または縮小して、外部接続される表示装置に画像データを表示することとしたので、請求項１に記載の発明の効果に加えて、拡大・縮小がなされた場合でも、実際の被写体の大きさを把握することが可能となる。
【０１０３】
また、請求項５に記載の発明によれば、撮影倍率検出手段は撮影時の撮影倍率を検出し、アスペクト比検出手段は外部接続される表示装置のアスペクト比を検出し、表示制御手段は画像データを当該表示装置に表示する際に、当該表示装置のアスペクト比に基づき、画像データを補正して、当該表示装置に表示することとしたので、簡単な構成で、外部接続される表示ディバイスに見やすい画像を表示でき、被写体の形状を正しく把握できるという効果を奏する。
【０１０５】
また、請求項６に記載の発明によれば、請求項５に記載のデジタルカメラにおいて、アスペクト比検出手段は当該表示装置に表示される基準画像の寸法に基づき、当該表示装置のアスペクト比を検出することとしたので、請求項５に記載の発明の効果に加えて、利用者にとって簡便な方法でアスペクト比を検出することが可能となる。
【０１０６】
また、請求項７に記載の発明によれば、請求項５に記載のデジタルカメラにおいて、アスペクト比検出手段は当該表示装置に表示される基準画像を撮影して当該表示装置のアスペクト比を検出することとしたので、請求項５に記載の発明の効果に加えて、利用者にとって簡便な方法でアスペクト比を検出することが可能となる。
【０１０７】
また、請求項８に記載の発明によれば、請求項５〜７のいずれか１つに記載のデジタルカメラにおいて、拡大・縮小手段は、外部接続される表示装置に表示される画像データを縦横独立に拡大または縮小して表示させることとしたので、請求項５に記載の発明の効果に加えて、画像データを拡大または縮小して表示させる場合においても、被写体の形状を正しく把握できるという効果を奏する。
【０１０８】
また、請求項９に記載の発明によれば、撮影時の撮影倍率を検出し、外部接続される表示装置の表示倍率を検出し、基準画像を前記表示装置に表示し、画像データを当該表示装置に表示する際に、前記表示装置に表示された基準画像および当該画像データの撮影倍率に基づき、被写体の大きさに対する表示上の倍率を算出して、画像データを、算出された被写体の大きさに対する表示上の倍率で当該表示装置に表示させることとしたので、簡単な構成で、外部接続される表示ディバイスに見やすい画像を表示でき、被写体の実際の大きさを把握しやすいという効果を奏する。
【０１０９】
また、請求項１０に記載の発明によれば、撮影時の撮影倍率を検出し、外部接続される表示装置に基準画像を表示し、前記表示装置に表示された基準画像に基づき、外部接続される前記表示装置に応じて、当該表示装置のアスペクト比を検出し、画像データを当該表示装置に表示する際に、当該表示装置のアスペクト比に基づき、画像データを補正して当該表示装置に表示させることとしたので、簡単な構成で、外部接続される表示ディバイスに見やすい画像を表示でき、被写体の形状を正しく把握できるという効果を奏する。
【図面の簡単な説明】
【図１】本発明に係るデジタルカメラの構成を示す図である。
【図２】図１のデジタルカメラの再生動作を説明するためにフローチャートである。
【図３】図２の表示倍率の演算処理の具体的処理内容を説明するためのフローチャートである。
【図４】図２のアスペクト比の演算処理の具体的処理内容を説明するためのフローチャートである。
【図５】図２の表示倍率およびアスペクト比の演算処理の具体的処理内容を説明するためのフローチャートである。
【図６】図１のテレビモニター１１１の基準画像の表示例を示す図である。
【符号の説明】
１００    デジタルカメラ
１０１    システム制御部
１０２    撮像部
１０３    撮像制御部
１０４    画像処理部
１０５    表示制御部
１０６    ＬＣＤ
１０７    記録メディアインターフェイス部
１０８    記録メディア
１０９    ハードキーインターフェイス
１１０    ビデオインターフェイス
１１１    テレビモニター
【図１】
0004327945.tif 000002
【図２】
0004327945.tif 000003
【図３】
0004327945.tif 000004
【図４】
0004327945.tif 000005
【図５】
0004327945.tif 000006
【図６】
0004327945.tif 000007